(57)【要約】【課題】既設の護岸コンクリートの下面に設けられた遮水層と、遮水層の下方に設けられた難透水層との二重遮水構造によって、漏水防止性能を著しく向上させることのできる護岸コンクリートの遮水構造及び護岸コンクリートの補修工法を提供する。【解決手段】既設の護岸コンクリート５から海洋への漏水を防止する護岸コンクリート５の遮水構造１に関する。本発明を適用した護岸コンクリートの遮水構造１は、護岸コンクリート５の漏水を遮断する遮水層２と、護岸コンクリート５の下方に設けられる難透水層３とを備える。遮水層２は、既設の護岸コンクリート５の少なくとも下面５ａに設けられるとともに、難透水層３は、既設の護岸コンクリート５の下面５ａに設けられた遮水層２の下方に連続して形成された空隙部４に設けられる。【選択図】図１
2015155594.tif 000002
【特許請求の範囲】
【請求項１】
既設の護岸コンクリートから海洋への漏水を防止する護岸コンクリートの遮水構造であって、
護岸コンクリートの漏水を遮断する遮水層と、護岸コンクリートの下方に設けられる難透水層とを備え、
前記遮水層は、既設の護岸コンクリートの少なくとも下面に設けられるとともに、
前記難透水層は、既設の護岸コンクリートの下面に設けられた前記遮水層の下方に連続して形成された空隙部に設けられること
を特徴とする護岸コンクリートの遮水構造。
【請求項２】
前記遮水層は、前記難透水層に下方から押し付けられることによって、既設の護岸コンクリートの下面に密着させて設けられること
を特徴とする請求項１記載の護岸コンクリートの遮水構造。
【請求項３】
前記遮水層は、既設の護岸コンクリートの少なくとも下面に遮水材を吹き付けて設けられるとともに、
前記難透水層は、前記空隙部で発泡材を発泡させるとともに硬化させて、前記発泡材を前記空隙部に充填して設けられること
を特徴とする請求項１又は２記載の護岸コンクリートの遮水構造。
【請求項４】
既設の護岸コンクリートから海洋への漏水を補修する護岸コンクリートの補修工法であって、
地盤を掘削して既設の護岸コンクリートの下方に空隙部を形成するとともに、前記空隙部で既設の護岸コンクリートの少なくとも下面に遮水材を吹き付けて、護岸コンクリートの漏水を遮断する遮水層を設ける第１工程と、
前記空隙部で発泡材を発泡させるとともに硬化させて、前記発泡材を前記空隙部に充填することで、既設の護岸コンクリートの下面に設けられた前記遮水層の下方に連続して難透水層を設ける第２工程とを備えること
を特徴とする護岸コンクリートの補修工法。
【発明の詳細な説明】
【技術分野】
【０００１】
本発明は、既設の護岸コンクリートから海洋への漏水を防止する護岸コンクリートの遮水構造及び既設の護岸コンクリートから海洋への漏水を補修する護岸コンクリートの補修工法に関する。
【背景技術】
【０００２】
従来より、既設の護岸コンクリートの下面を遮水する工法として、護岸コンクリートの下方地盤にセメント系深層混合処理工法を適用して改良土層を形成する工法や、護岸コンクリートの下方地盤に薬液注入工法を適用して固化層を形成する工法が提案されている。
【０００３】
これら従来の工法は、護岸コンクリートの下方に改良土層や固化層を形成することで、護岸コンクリートの下面からの漏水を改良土層や固化層で遮断して、護岸コンクリートからの漏水を防止することを目的とするものである。
【０００４】
セメント系深層混合処理工法を適用する方法として、例えば、特許文献１に開示される遮水護岸構造が提案されている。特許文献１に開示された遮水護岸構造は、一組の鋼製壁が間隔を空けて設けられるとともに、鋼製壁の間隔内に粘性土等の固化処理土が中詰めされて、さらに、鋼製壁の下方にセメント系深層混合処理工法によって改良土層が形成されるものである。
【先行技術文献】
【特許文献】
【０００５】
【特許文献１】特開２００２−２２７１６６号公報
【発明の概要】
【発明が解決しようとする課題】
【０００６】
ここで、既設の護岸コンクリートは、海洋と地盤との間に護岸壁として構築されることから、海洋における潮位変動や、波浪の影響、船舶接岸時の衝突力、及び地盤地下水の水位変動等の影響によって、海洋と地盤との間で絶えず地盤側や海洋側に変位するものとなる。
【０００７】
このため、特許文献１に開示された遮水護岸構造は、既設の護岸コンクリートのみが絶えず地盤側や海洋側に変位して、護岸コンクリートの下面と改良土層との間で変位差が生じることで、既設の護岸コンクリートの下面と改良土層との間の界面に水みちが形成される。
【０００８】
このとき、特許文献１に開示された遮水護岸構造は、既設の護岸コンクリートの下面と改良土層との間の界面を地下水等が通過して、既設の護岸コンクリートに生じた亀裂等から護岸コンクリートの内部に地下水等が浸入することで、地下水等が海洋側に流出するものとなるという問題点があった。
【０００９】
加えて、特許文献１に開示された遮水護岸構造は、既設の護岸コンクリートの下方地盤や背面側地盤の土砂も地下水等と一緒に海洋側に流出させるという問題点があった。
【００１０】
そこで、本発明は、上述した問題点に鑑みて案出されたものであり、その目的とするところは、既設の護岸コンクリートの下面に設けられた遮水層と、遮水層の下方に設けられた難透水層との二重遮水構造によって、漏水防止性能を著しく向上させることのできる護岸コンクリートの遮水構造及び護岸コンクリートの補修工法を提供することにある。
【課題を解決するための手段】
【００１１】
第１発明に係る護岸コンクリートの遮水構造は、既設の護岸コンクリートから海洋への漏水を防止する護岸コンクリートの遮水構造であって、護岸コンクリートの漏水を遮断する遮水層と、護岸コンクリートの下方に設けられる難透水層とを備え、前記遮水層は、既設の護岸コンクリートの少なくとも下面に設けられるとともに、前記難透水層は、既設の護岸コンクリートの下面に設けられた前記遮水層の下方に連続して形成された空隙部に設けられることを特徴とする。
【００１２】
第２発明に係る護岸コンクリートの遮水構造は、第１発明において、前記遮水層は、前記難透水層に下方から押し付けられることによって、既設の護岸コンクリートの下面に密着させて設けられることを特徴とする。
【００１３】
第３発明に係る護岸コンクリートの遮水構造は、第１発明又は第２発明において、前記遮水層は、既設の護岸コンクリートの少なくとも下面に遮水材を吹き付けて設けられるとともに、前記難透水層は、前記空隙部で発泡材を発泡させるとともに硬化させて、前記発泡材を前記空隙部に充填して設けられることを特徴とする。
【００１４】
第４発明に係る護岸コンクリートの補修工法は、既設の護岸コンクリートから海洋への漏水を補修する護岸コンクリートの補修工法であって、地盤を掘削して既設の護岸コンクリートの下方に空隙部を形成するとともに、前記空隙部で既設の護岸コンクリートの少なくとも下面に遮水材を吹き付けて、護岸コンクリートの漏水を遮断する遮水層を設ける第１工程と、前記空隙部で発泡材を発泡させるとともに硬化させて、前記発泡材を前記空隙部に充填することで、既設の護岸コンクリートの下面に設けられた前記遮水層の下方に連続して難透水層を設ける第２工程とを備えることを特徴とする。
【発明の効果】
【００１５】
第１発明〜第４発明によれば、既設の護岸コンクリートの下面に設けられた遮水層と、遮水層の下方に連続して設けられた難透水層との二重遮水構造によって、既設の護岸コンクリートの漏水防止性能を著しく向上させることが可能となる。第１発明〜第４発明によれば、既設の護岸コンクリートの下方に狭い空隙部を形成するのみで、遮水層と難透水層との二重遮水構造を導入することができるため、既設の護岸コンクリートの漏水防止性能を向上させるのと同時に、漏水補修作業時の掘削量を低減させて作業効率等を向上させることが可能となる。
【００１６】
特に、第２発明によれば、狭い範囲に形成された空隙部から既設の護岸コンクリートの下面に遮水材が吹き付けられるにもかかわらず、漏水防止性能を向上させるための難透水層を利用して、遮水層を既設の護岸コンクリートの下面に密着させることで、既設の護岸コンクリートに生じた亀裂等から海洋への漏水を確実に防止することが可能となる。
【図面の簡単な説明】
【００１７】
【図１】本発明を適用した護岸コンクリートの遮水構造を示す斜視図である。
【図２】本発明を適用した護岸コンクリートの遮水構造が適用される既設の護岸コンクリートを示す側面図である。
【図３】本発明を適用した護岸コンクリートの遮水構造が適用される既設の護岸コンクリートを示す平面図である。
【図４】本発明を適用した護岸コンクリートの遮水構造を示す側面図である。
【図５】（ａ）は、本発明を適用した護岸コンクリートの遮水構造の遮水層を密着させた状態を示す側面図であり、（ｂ）は、遮水層が密着しない状態を示す側面図である。
【図６】本発明を適用した護岸コンクリートの補修工法において既設の護岸コンクリートの地盤側を掘削する工程を示す側面図である。
【図７】本発明を適用した護岸コンクリートの補修工法において既設の護岸コンクリートの下方に空隙部を形成する工程を示す側面図である。
【図８】本発明を適用した護岸コンクリートの補修工法において既設の護岸コンクリートの下面に遮水層を設ける工程を示す側面図である。
【図９】本発明を適用した護岸コンクリートの補修工法において既設の護岸コンクリートの下方の空隙部に発砲材を設置する工程を示す側面図である。
【図１０】本発明を適用した護岸コンクリートの補修工法において既設の護岸コンクリートの下方で遮水層に連続して難透水層を設ける工程を示す側面図である。
【図１１】本発明を適用した護岸コンクリートの補修工法において既設の護岸コンクリートの背面に遮水シートを設置する工程を示す側面図である。
【発明を実施するための形態】
【００１８】
以下、本発明を適用した護岸コンクリートの遮水構造１を実施するための形態について、図面を参照しながら詳細に説明する。
【００１９】
本発明を適用した護岸コンクリートの遮水構造１は、図１に示すように、海洋と地盤との間の護岸壁として構築された既設の護岸コンクリート５に適用される。既設の護岸コンクリート５は、海洋側Ａと地盤側Ｂとを隔てる壁構造体として構築されるものである。
【００２０】
護岸コンクリート５は、海洋側Ａと地盤側Ｂとを隔てる境界に沿って幅方向Ｘに所定の延長となるように構築される。護岸コンクリート５は、図２に示すように、壁体として立設されたコンクリート上部５１と、コンクリート下部５２とが一体に形成される。
【００２１】
護岸コンクリート５は、高さ方向Ｙに所定の壁高となるようにコンクリート上部５１が構築されるとともに、奥行方向Ｚに所定の延長となるようにコンクリート下部５２が構築されて、コンクリート上部５１を倒壊させないようにコンクリート下部５２で支持される。
【００２２】
護岸コンクリート５は、例えば、海洋側Ａと地盤側Ｂとを隔てる境界で、複数の鋼矢板５３等と複数のＨ形鋼等の斜杭５４とがコンクリート下部５２に埋め込まれた状態で設けられる。護岸コンクリート５は、図３に示すように、複数の斜杭５４に架設させるようにして溝形鋼等の腹起材５５が取り付けられて、鋼矢板５３と腹起材５５とがタイロッド５６で連結される。
【００２３】
本発明を適用した護岸コンクリートの遮水構造１は、既設の護岸コンクリート５から海洋への漏水を防止するものとして用いられる。本発明を適用した護岸コンクリートの遮水構造１は、図４に示すように、既設の護岸コンクリート５の地盤側Ｂの背面５ｂを覆うようにして、既設の護岸コンクリート５から海洋への漏水を遮断するための遮水シート５７が設置される。
【００２４】
本発明を適用した護岸コンクリートの遮水構造１は、護岸コンクリート５への地下水等の浸入を遮断する遮水層２と、護岸コンクリート５の下方の地盤内で遮水層２の下方に連続して設けられる難透水層３とを備える。
【００２５】
遮水層２は、既設の護岸コンクリート５の下面５ａに遮水材２０が吹き付けられることで、既設の護岸コンクリート５の下面５ａを被覆するように設けられる。遮水材２０は、伸縮性を有するゴムアスファルト系塗膜防水材やセメント系防水材等の遮水材料が用いられて、既設の護岸コンクリート５の下面５ａに吹き付けられることで、既設の護岸コンクリート５から海洋への漏水を遮断するものとなる。遮水材２０は、これに限らず、漏水を遮断するための所定の遮水性能を確保したものであれば、如何なる材質等の遮水材料が用いられてもよい。
【００２６】
難透水層３は、既設の護岸コンクリート５の下方の地盤が掘削されて高さ方向Ｙに２０ｃｍ〜５０ｃｍ程度の深さで形成された空隙部４に設けられる。難透水層３は、空隙部４で発泡材３０を発泡させるとともに硬化させて、発泡材３０を空隙部４に充填して設けられる。発泡材３０は、発泡硬化後の透水係数が非常に僅少なものとなる硬質発泡ウレタン等の難透水材料が好適に用いられる。発泡材３０は、これに限らず、空隙部４で硬化させて充填することができるものであれば、如何なる材質等の難透水材料や遮水材料等が用いられてもよい。
【００２７】
本発明を適用した護岸コンクリートの遮水構造１は、発泡材３０を空隙部４に設置して発泡硬化させることで、発泡材３０を膨張させるものである。本発明を適用した護岸コンクリートの遮水構造１は、難透水層３の発泡材３０に難透水材料が用いられることで、図５（ａ）に示すように、地盤内の地下水が難透水層３に浸入しないものとなる。また、本発明を適用した護岸コンクリートの遮水構造１は、難透水層３に地下水位の上端から難透水層３の下端までの高低差による上向きの地下水圧が作用して、発泡硬化した発泡材３０が上方に向けて遮水層２に押し付けられるものとなる。
【００２８】
このため、本発明を適用した護岸コンクリートの遮水構造１は、遮水層２の下方に連続して設けられる難透水層３に遮水層２が下方から押し付けられる。従って、本発明を適用した護岸コンクリートの遮水構造１は、遮水層２が難透水層３に下方から押し付けられて、既設の護岸コンクリート５の下面５ａに密着させて遮水層２が設けられるものとなる。
【００２９】
本発明を適用した護岸コンクリートの補修工法は、図６〜図１１に示すように、既設の護岸コンクリート５への地下水等の浸入を遮断して、既設の護岸コンクリート５から海洋への漏水を補修するものであり、本発明を適用した護岸コンクリートの遮水構造１を既設の護岸コンクリート５に導入するために実施されるものである。
【００３０】
本発明を適用した護岸コンクリートの補修工法は、既設の護岸コンクリート５の下方に空隙部４を形成するとともに、既設の護岸コンクリート５の少なくとも下面５ａに遮水層２を設ける第１工程と、遮水層２の下方に連続して難透水層３を設ける第２工程とを備える。
【００３１】
本発明を適用した護岸コンクリートの補修工法は、最初に、図６に示すように、既設の護岸コンクリート５の地盤側Ｂを高さ方向Ｙに掘削して、コンクリート下部５２の下方までの土砂を取り除くことで、既設の護岸コンクリート５の地盤側Ｂの背面５ｂを露出させる。
【００３２】
次に、本発明を適用した護岸コンクリートの補修工法は、コンクリート下部５２の地盤側Ｂから海洋側Ａに向けて、既設の護岸コンクリート５の下方の地盤内を奥行方向Ｚにウォータージェット等で掘削するとともに、バキューム装置等で泥土回収を実施する。
【００３３】
このとき、本発明を適用した護岸コンクリートの補修工法は、図７に示すように、第１工程において、人力掘削等を実施することなく、既設の護岸コンクリート５の下方の地盤の掘削量を増大させないで、既設の護岸コンクリート５の下方に空隙部４を形成させるものとなる。
【００３４】
空隙部４は、空隙高さＨを２０ｃｍ〜５０ｃｍ程度のものとして、既設の護岸コンクリート５の下方に作業員が入ることなく形成されるものとなる。空隙部４は、これに限らず、既設の護岸コンクリート５の下方に作業員が入って、人力掘削等で形成されるものであってもよい。
【００３５】
本発明を適用した護岸コンクリートの補修工法は、第１工程において、図８に示すように、遮水材２０を噴出させるノズル２１と、遮水材２０をノズル２１まで供給するホース２２とを、既設の護岸コンクリート５の下方に形成された空隙部４に地盤側Ｂから挿入する。
【００３６】
遮水材２０は、空隙部４に挿入されたノズル２１から上方に向けて噴出されて、既設の護岸コンクリート５の下面５ａに吹き付けられることで、既設の護岸コンクリート５の下面５ａ全体に均一に吹き付けられる。遮水材２０は、これに限らず、漏水の発生が推測される部位のみで、既設の護岸コンクリート５の下面５ａに部分的に吹き付けられてもよい。
【００３７】
次に、遮水材２０は、ノズル２１の向きを略水平に変更することで、空隙部４の奥行きの略垂直部分に吹き付けられる。これにより、遮水層２は、既設の護岸コンクリート５の下方に形成された空隙部４の海洋側Ａの地盤にも設けられるものとなる。さらに、遮水材２０は、コンクリート下部５２の地盤側Ｂの背面５ｂにも、吹き付けられることが好ましい。
【００３８】
これにより、本発明を適用した護岸コンクリートの補修工法は、第１工程において、地盤を掘削して既設の護岸コンクリート５の下方に空隙部４を形成するとともに、空隙部４で既設の護岸コンクリート５の少なくとも下面５ａに遮水材２０を吹き付けて、護岸コンクリート５から海洋への地下水等の漏水を遮断する遮水層２を設けるものとなる。
【００３９】
本発明を適用した護岸コンクリートの補修工法は、図９に示すように、第２工程において、既設の護岸コンクリート５の下面５ａに設けられた遮水層２の下方の空隙部４で、発泡硬化前の発泡材３０を設置する。このとき、発泡材３０は、空隙部４に作業員が入ることなく、地盤側Ｂから空隙部４に２液混合用ホース３１等が挿入されて、空隙部４で２液混合等させながら設置される。ここで、２液混合とは、例えば、ポリイソシアネート成分を含有する第１液と、ポリオール成分を含有する第２液とを混合させるものである。
【００４０】
次に、本発明を適用した護岸コンクリートの補修工法は、図１０に示すように、第２工程において、空隙部４で発泡材３０を２液混合等によって発泡させるとともに硬化させて、発泡材３０を空隙部４に充填する。このとき、発泡材３０が膨張することで、空隙部４に充填されて難透水層３が形成されるとともに、難透水層３に地下水力が作用して、上方に向けて遮水層２に押し付けられるものとなる。
【００４１】
これにより、本発明を適用した護岸コンクリートの補修工法は、第２工程において、遮水層２が難透水層３に下方から押し付けられることで、既設の護岸コンクリート５の下面５ａに遮水層２を密着させるように、遮水層２の下方に連続して難透水層３が設けられるものとなる。
【００４２】
次に、本発明を適用した護岸コンクリートの補修工法は、図１１に示すように、既設の護岸コンクリート５の地盤側Ｂの背面５ｂに、既設の護岸コンクリート５の背面側地盤から海洋への漏水を遮断するための所定の遮水性能を有する遮水シート５７を設置する。
【００４３】
最後に、本発明を適用した護岸コンクリートの補修工法は、図４に示すように、既設の護岸コンクリート５の地盤側Ｂを埋め戻して、護岸コンクリート５の漏水補修作業を完了させる。
【００４４】
既設の護岸コンクリート５は、発泡材３０に透水材料が用いられた場合や、空隙部４に土砂等が埋め戻された場合に、図５（ｂ）に示すように、空隙部４に地盤地下水が浸入するため、遮水層２だけでは、既設の護岸コンクリート５に生じた亀裂等から護岸コンクリート５の内部への地下水等の浸入を、十分には防止することができない。
【００４５】
これに対して、本発明を適用した護岸コンクリートの遮水構造１は、図５（ａ）に示すように、発泡材３０に難透水材料等が用いられて、空隙部４に地下水が浸入しないものとなるため、既設の護岸コンクリート５に生じた亀裂等から護岸コンクリート５の内部への地下水等の浸入を、確実に防止することができる。
【００４６】
また、本発明を適用した護岸コンクリートの遮水構造１は、空隙部４の空隙高さＨを２０ｃｍ〜５０ｃｍ程度として、護岸コンクリート５の下方の地盤の掘削量を増大させることなく、難透水層３に大きい上向きの地下水圧を作用させることができるものとなる。
【００４７】
これにより、本発明を適用した護岸コンクリートの遮水構造１は、難透水層３に大きい上向きの地下水圧を作用させて、難透水層３に押し付けられた遮水層２が既設の護岸コンクリート５の下面５ａに密着させて設けられるため、遮水材２０の剥離等を防止することが可能となる。
【００４８】
本発明を適用した護岸コンクリートの遮水構造１は、図４に示すように、漏水補修作業時の掘削量を低減させるために、狭い範囲に形成された空隙部４から既設の護岸コンクリート５の下面５ａに遮水材２０が吹き付けられるにもかかわらず、遮水層２を既設の護岸コンクリート５の下面５ａに密着させて、既設の護岸コンクリート５に生じた亀裂等からの地下水等の漏水を確実に防止することが可能となる。
【００４９】
また、本発明を適用した護岸コンクリートの遮水構造１は、既設の護岸コンクリート５のみが絶えず海洋側Ａや地盤側Ｂに変位した場合であっても、遮水層２が既設の護岸コンクリート５の下面５ａに密着させて設けられることで、既設の護岸コンクリート５の下面５ａに水みちが形成されることを防止して、既設の護岸コンクリート５の下方地盤や背面側地盤からの地下水等の流出に伴う土砂流出を防止することが可能となる。
【００５０】
これにより、本発明を適用した護岸コンクリートの遮水構造１は、既設の護岸コンクリート５の下方地盤や背面側地盤からの地下水等の流出に伴う土砂流出を防止して、既設の護岸コンクリート５の地盤による支持力を低下させないものとすることができる。
【００５１】
本発明を適用した護岸コンクリートの遮水構造１は、既設の護岸コンクリート５の下面５ａに設けられた遮水層２と、遮水層２の下方に連続して設けられた難透水層３との二重遮水構造によって、既設の護岸コンクリート５の漏水防止性能を著しく向上させることが可能となる。
【００５２】
また、本発明を適用した護岸コンクリートの遮水構造１は、地盤を掘削して形成される空隙部４の空隙高さＨを２０ｃｍ〜５０ｃｍ程度の小さいものとして、既設の護岸コンクリート５の下方地盤の掘削量を低減させて、既設の護岸コンクリート５の下方地盤による支持力を必要以上に低下させずに、既設の護岸コンクリート５の安定性を向上させることが可能となる。
【００５３】
さらに、本発明を適用した護岸コンクリートの遮水構造１は、既設の護岸コンクリート５の下方に空隙部４を形成するのみで、遮水層２と難透水層３との二重遮水構造を導入することができるため、漏水補修作業時の掘削量を低減させて作業効率を向上させながら、漏水防止性能を著しく向上させた既設の護岸コンクリート５を容易に提供することが可能となる。
【００５４】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００５５】
１        ：遮水構造
２        ：遮水層
２０      ：遮水材
２１      ：ノズル
２２      ：ホース
３        ：難透水層
３０      ：発泡材
３１      ：２液混合用ホース
４        ：空隙部
４ａ      ：上面（空隙部）
４ｂ      ：下面（空隙部）
５        ：護岸コンクリート
５ａ      ：下面（護岸コンクリート）
５ｂ      ：背面（護岸コンクリート）
５１      ：コンクリート上部
５２      ：コンクリート下部
５３      ：鋼矢板
５４      ：斜杭
５５      ：腹起材
５６      ：タイロッド
５７      ：遮水シート
Ａ        ：海洋側
Ｂ        ：地盤側
Ｘ        ：幅方向
Ｙ        ：高さ方向
Ｚ        ：奥行方向
【図１】
2015155594.tif 000003
【図２】
2015155594.tif 000004
【図３】
2015155594.tif 000005
【図４】
2015155594.tif 000006
【図５】
2015155594.tif 000007
【図６】
2015155594.tif 000008
【図７】
2015155594.tif 000009
【図８】
2015155594.tif 000010
【図９】
2015155594.tif 000011
【図１０】
2015155594.tif 000012
【図１１】
2015155594.tif 000013